(57)【要約】【課題】本発明は、風を受けて自然に揺れる発光体を実現したイルミネーション装置を提供することを目的とするものである。【解決手段】線状の導電部材２と、この導電部材２に接続され、かつ、所定の力を受けて揺動可能とされる接続導電部材３と、この接続導電部材３に接続され、平面形状とされ、かつ、少なくとも１面が接続導電部材３からの通電により発光可能とされる発光モジュール１０を有する発光体４を備える。【選択図】図２
2015141783.tif 000002
【特許請求の範囲】
【請求項１】
線状の導電部材と、
該導電部材に接続され、かつ、所定の力を受けて揺動可能とされる接続導電部材と、
該接続導電部材に接続され、平面形状とされ、かつ、少なくとも１面が同接続導電部材からの通電により発光可能とされる発光モジュールを有する発光体を備える
イルミネーション装置。
【請求項２】
前記発光体に取付けられた、第１の部材と、該第１の部材に開閉自在に配置され、かつ、少なくとも一部が弾性体の付勢力で同第１の部材と接触可能とされた第２の部材とを有するクリップ部を備える
請求項１に記載のイルミネーション装置。
【請求項３】
前記クリップ部は、前記第１の部材と前記第２の部材の少なくとも一部が重なる状態で半円筒形状とされると共に、発光体との間に空間部を形成可能である
請求項２に記載のイルミネーション装置。
【請求項４】
前記クリップ部は、前記発光体に着脱可能とされた
請求項２または請求項３に記載のイルミネーション装置。
【請求項５】
前記発光体は、前記発光モジュールと同発光モジュールの背面側に形成された基板との２層構造とされ、かつ、同発光モジュールが同基板に対して少なくとも一部が開閉可能とされると共に、同発光モジュールの背面の領域と、同発光モジュールの背面の領域に対応する同基板の領域、あるいは同発光モジュールの背面の領域と、同基板の領域のいずれか一方の領域に溝部が形成された
請求項１に記載のイルミネーション装置。
【請求項６】
前記溝部の一方より他方に向けて、その内径が順次狭窄状とされた
請求項５に記載のイルミネーション装置。
【請求項７】
前記発光体は、前記発光モジュールと同発光モジュールの背面側に開閉可能に形成された前記基板との２層構造とされ、かつ、同発光モジュールと同基板に連設され、同発光モジュールと同基板との開閉に伴い、長手方向に沿って開閉可能な円筒部を有する柄部を備える
請求項１に記載のイルミネーション装置。
【請求項８】
前記発光体は、葉形状とされた
請求項１、請求項２、請求項３、請求項４、請求項５、請求項６または請求項７に記載のイルミネーション装置。
【請求項９】
前記発光モジュールは、有機エレクトロルミネッセンス、あるいは無機エレクトロルミネッセンスである
請求項１、請求項２、請求項３、請求項４、請求項５、請求項６、請求項７または請求項８に記載のイルミネーション装置。
【発明の詳細な説明】
【技術分野】
【０００１】
本発明は、イルミネーション装置に関する。詳しくは、例えば街路樹に取付けられるイルミネーション装置に係るものである。
【背景技術】
【０００２】
一般に、クリスマスシーズンになると落葉した街路樹の枝に無数のＬＥＤ灯が取付けられて光の演出が行われている。
このＬＥＤ灯によるイルミネーションは、電源コードに沿ってＬＥＤ灯が配置され、電源コードを街路樹の枝に沿って結束バンド等で固定することで街路樹の各枝にＬＥＤ灯が取付けられる。
【０００３】
ここで、夜間はＬＥＤ灯の発光のために何ら違和感はないが、昼間は枝に取付けられた電源コードやＬＥＤ灯が露出した状態となり、美観を損なうことになる。
【０００４】
そこで、例えば、電飾樹木構造体のイルミネーションとして、特許文献１に記載されたものが知られている。
具体的には、図１１に示すように、単一の幹部材１０１と、この幹部材１０１に接続された複数の中枝部材１０２と、各中枝部材１０２に接続された多数の小枝部材１０３を有して樹木構造体が構成されている。
【０００５】
このような樹木構造体の小枝部材１０３に電飾枝部１０４が接続されている。更に、電飾枝部１０４に花弁、あるいは葉を摸した保持体（図示せず。）が接続され、この保持体の中心に発光ダイオード（図示せず。）が設けられている。
【先行技術文献】
【特許文献】
【０００６】
【特許文献１】特開２００６−５６２３６号公報
【発明の概要】
【発明が解決しようとする課題】
【０００７】
上記した特許文献１の発明では、昼間でも美観を損なうことなく電飾樹木構造体のイルミネーションとして楽しむことができるが、風が吹いても葉が揺れるという自然の動きを演出することができない。
【０００８】
また、発光ダイオードによる発光体は、点滅パターンによる擬似的な運動であって発光体そのものが物理的に動くことができない。
【０００９】
本発明は、以上の点に鑑みて創案されたものであって、風等の影響を受けて自然に揺れる発光体を実現したイルミネーション装置を提供することを目的とするものである。
【課題を解決するための手段】
【００１０】
上記の目的を達成するために、本発明に係るイルミネーション装置は、線状の導電部材と、該導電部材に接続され、かつ、所定の力を受けて揺動可能とされる接続導電部材と、該接続導電部材に接続され、平面形状とされ、かつ、少なくとも１面が同接続導電部材からの通電により発光可能とされる発光モジュールを有する発光体を備える。
【００１１】
ここで、線状の導電部材によって、任意の箇所に電力を供給することが可能となる。
例えば、街路樹等にイルミネーションを取付ける場合には、街路樹の幹に沿って導電部材を枝の先端まで配線することが可能となる。
【００１２】
また、接続導電部材が、所定の力を受けて揺動可能に構成されたことによって、接続導電部材に対して外的な力が作用したときに導電部材が揺動することができる。
【００１３】
また、発光体が平面形状とされたことによって、風力抵抗を受けやすくなり、自然な揺れを生じることが可能となる。更に、発光体の少なくとも１面が発光することによって、発光体の揺れと共に光を揺らすことが可能となる。
【００１４】
また、本発明に係るイルミネーション装置において、発光体に取付けられた、第１の部材と、第１の部材に開閉自在に配置され、かつ、少なくとも一部が弾性体の付勢力で同第１の部材と接触可能とされた第２の部材とを有するクリップ部を備える場合には、線状体を第１の部材と第２の部材で挟むことができ、発光体を線状体に固定することが可能となる。
例えば、街路樹等の枝の先端側をクリップ部で挟むことで、発光体を葉のようにして枝に固定することができる。
【００１５】
また、本発明に係るイルミネーション装置において、クリップ部が、第１の部材と第２の部材の少なくとも一部が重なる状態で半円筒形状とされると共に、発光体との間に空間部を形成可能である場合には、線状体を空間部内に嵌め入れることで発光体を固定することが可能となる。
例えば、クリップ部の空間部内に街路樹等の枝が挿入されることで、発光体を葉のようにして枝に固定することができる。
【００１６】
また、本発明に係るイルミネーション装置において、クリップ部が、発光体に着脱可能とされた場合には、発光体を線状体に固定する、あるいは発光体をぶら下げた状態とすることが可能となる。
例えば、発光体を必要に応じて街路樹等の枝に固定する、あるいは枝にぶら下げることができる。
【００１７】
また、本発明に係るイルミネーション装置において、発光体が、発光モジュールと発光モジュールの背面側に形成された基板との２層構造とされ、かつ、発光モジュールが基板に対して少なくとも一部が開閉可能とされると共に、発光モジュールの背面の領域と、発光モジュールの背面の領域に対応する基板の領域、あるいは発光モジュールの背面の領域と、基板の領域のいずれか一方の領域に溝部が形成された場合には、線状体を発光モジュールの背面側の領域と、基板の領域で挟むようにして溝部内に嵌め入れることで、発光体を固定することが可能となる。
例えば、街路樹等の枝の先端を発光モジュールと基板で挟んだ状態で発光体を垂直方向に固定することができる。
【００１８】
また、本発明に係るイルミネーション装置において、溝部の一方より他方に向けて、その内径が順次狭窄状とされた場合には、線状体が溝部から抜け落ちることを防止できる。
例えば、街路樹等の枝の先端部分から発光体が抜け落ちるのを防止することができる。
【００１９】
また、本発明に係るイルミネーション装置において、発光体が、発光モジュールと発光モジュールの背面側に開閉可能に形成された基板との２層構造とされ、かつ、発光モジュールと基板に連設され、発光モジュールと基板との開閉に伴い、長手方向に沿って開閉可能な円筒部を有する柄部を備える場合には、線状体を円筒部内に嵌め入れることで、発光体を固定することが可能となる。
例えば、円筒部内に街路樹等の枝の先端部分を貫通した状態で嵌め入れることで、発光体を垂直方向に固定することが可能となる。
【００２０】
また、本発明に係るイルミネーション装置において、発光体が、葉形状とされた場合には、発光体を種々の葉に摸すことが可能となる。
例えば、落葉した枝に取付けることで、夜間のみならず昼間の美観を向上させることが可能となる。
【００２１】
また、本発明のイルミネーション装置において、発光モジュールが、有機エレクトロルミネッセンス、あるいは無機エレクトロルミネッセンスである場合には、有機材料、あるいは無機材料に電圧をかけることで、均一な面発光が可能となる。
【発明の効果】
【００２２】
本発明のイルミネーション装置によれば、発光体が風等を受けることで、自然な光の揺れを表現することが可能となる。
【図面の簡単な説明】
【００２３】
【図１】本発明を適用したイルミネーション装置の一例を説明するための模式図である。
【図２】本発明を適用したイルミネーション装置の要部の一例を説明するための模式図である。
【図３】本発明を適用したイルミネーション装置の使用例を説明するための模式図である。
【図４】本発明を適用したイルミネーション装置の他の例を説明するための模式図である。
【図５】本発明を適用したイルミネーション装置の他の例の使用例を説明するための模式図である。
【図６】本発明を適用したイルミネーション装置における発光体の係止手段の一例を説明するための平面模式図（Ａ）及び、本発明を適用したイルミネーション装置における発光体の係止手段の一例を説明するための側面模式図（Ｂ）である。
【図７】本発明を適用したイルミネーション装置における発光体の係止手段の変形例を説明するための平面模式図（Ａ）、及び本発明を適用したイルミネーション装置における発光体の係止手段の変形例を説明するための断面模式図（Ｂ）である。
【図８】本発明を適用したイルミネーション装置における発光体の係止手段による使用例を説明するための模式図である。
【図９】本発明を適用したイルミネーション装置における発光体の係止手段の他の例を説明するための平面模式図（Ａ）、本発明を適用したイルミネーション装置における発光体の係止手段の他の例を説明するための断面模式図（Ｂ）及び、本発明を適用したイルミネーション装置における発光体の係止手段の他の例の作用状態を説明するための断面模式図（Ｃ）である。
【図１０】本発明を適用したイルミネーション装置における発光体の係止手段の他の例の変形例を説明するための模式図（Ａ）及び、本発明を適用したイルミネーション装置における発光体の係止手段の他の例の変形例を説明するための断面模式図（Ｂ）である。
【図１１】従来のイルミネーション装置の一例を説明するための模式図である。
【発明を実施するための形態】
【００２４】
以下、本発明の実施の形態を図面を参酌しながら詳述する。
【００２５】
＜第１の実施の形態＞
図１は本発明を適用したイルミネーション装置の一例を説明するための模式図、図２は本発明を適用したイルミネーション装置の要部の一例を説明するための模式図である。
【００２６】
ここで示すイルミネーション装置１は、電源が供給可能とされた導電部材２と、この導電部材２に分岐状に接続された複数本の接続導電部材３と、接続導電部材３に接続された発光体４とから構成されている。
【００２７】
ここで、導電部材２は、一定長さの電力供給用の電線（図示せず。）が塩化ビニール製の絶縁体で被覆され、その両側端に接続用コネクター５が取り付けられた構成とされている。
このような構成とすることで各々の導電部材２の接続用コネクター５を連結することにより、例えば街路樹の大きさに応じて任意の長さとすることが可能となる。
【００２８】
また、接続導電部材３は図２に示すように、導電部材２に対して揺動可能となるように、導電部材２の電線（図示せず。）に分岐状に接続された電線（図示せず。）が接続されると共に、分岐された電線が塩化ビニール製の絶縁体で被覆されている。
【００２９】
また、発光体４は、葉形状の基板６の１面に有機エレクトロルミネッセンス、あるいは無機エレクトロルミネッセンス（以下、「有機ＥＬ、あるいは無機ＥＬ」と称する。）である発光モジュール１０が形成された構成とされている。
【００３０】
ここで、発光モジュールとしての有機ＥＬとは、炭素元素Ｃを中心とした、Ｎ、Ｈ、Ｏ等からなる有機層をプラスとマイナスの電極ではさみ、電圧を印加したときに均一な発光が放射される発光体である。
【００３１】
また、無機ＥＬとは、セラミックス基板上に第１の電極層、第１の絶縁層、無機蛍光体層、第２の絶縁層及び第２の電極層の順で積層され、第１の電極層と第２の電極層との間に交流電圧を印加したときに均一な発光が放射される発光体である。
【００３２】
このような有機ＥＬ、あるいは無機ＥＬである発光モジュール１０は、接続導電部材３からの通電で均一な面発光が可能となる。
【００３３】
以上の構成よりなる本発明のイルミネーション装置１では、図３に示すように、例えば、樹木の幹枝Ａに沿って導電部材２が結束バンドＢで巻着される。
【００３４】
これにより、幹枝Ａに対して発光体４が接続導電部材３からぶら下がった状態となる。このようにして幹枝Ａに取付けられた発光体４は、直接風力抵抗を受けることで接続導電部材３と共に、風鈴やモビールのように少ない風で自然な揺れを生じさせることが可能となる。
【００３５】
また、発光体４の有機ＥＬ、あるいは無機ＥＬ（図示せず。）素子に通電することで、発光体４の１面が発光しながら揺れることで光の動的演出を行うことが可能となる。
【００３６】
＜第１の実施の他の形態＞
図４は本発明を適用したイルミネーション装置の他の例を説明するための模式図である。
【００３７】
ここで示すイルミネーション装置１Ａは、電源が供給可能とされた導電部材２と、この導電部材２に分岐状に接続された複数本の接続導電部材３と、接続導電部材３に接続された発光体４とから構成されている。
【００３８】
また、導電部材２は、一定長さの電力供給用の電線（図示せず。）が塩化ビニール製の絶縁体で被覆され、その両側端に接続用コネクター５が取り付けられた構成とされている。
このような構成とすることで各々の導電部材２の接続用コネクター５を連結することにより、例えば街路樹の大きさに応じて任意の長さとすることが可能となる。
【００３９】
ここで、図４に示すように、接続導電部材３は、導電部材２との分岐箇所の近傍を環状の第１のストッパー部８で導電部材２に固定されている。
【００４０】
更に、第１のストッパー部８に対して導電部材２の長手方向に沿って摺動可能な第２のストッパー部９が導電部材２と接続導電部材３を外挿した状態で取り付けられている。
このような構成とすることで、第２のストッパー部９を第１のストッパー部８から発光体４側へ摺動させることにより、導電部材２からの接続導電部材３の分岐長さを自在に調整することが可能となる。
【００４１】
また、発光体４は、葉形状の基板６面に有機ＥＬ、あるいは無機ＥＬである発光モジュール１０が形成された構成とされている。
【００４２】
この有機ＥＬ、あるいは無機ＥＬである発光モジュール１０は、接続導電部材３からの通電で均一な面発光が可能となる。
【００４３】
以上の構成よりなる本発明のイルミネーション装置１Ａでは、図５に示すように、例えば、樹木の幹枝Ａに沿って導電部材２が結束バンドＢで巻着される。
【００４４】
このようにして取付けられたイルミネーション装置１Ａは、第２のストッパー部９を導電部材２の長手方向に沿って移動させることで接続導電部材３の分岐長さを自在に調整することが可能となる。
【００４５】
これにより、導電部材２に取付けられた各発光体４の分岐長さを、例えば街路樹の枝ぶりの形状に合わせて調整することで自由度の高い取付けが可能となる。
【００４６】
更に、発光体４の有機ＥＬ、あるいは無機ＥＬ（図示せず。）素子に通電することで、発光体４の１面が発光しながら揺れることで光の動的演出を行うことが可能となる。
【００４７】
＜第２の実施の形態＞
図６は本発明を適用したイルミネーション装置における発光体の係止手段の一例を説明するための平面模式図（Ａ）及び、本発明を適用したイルミネーション装置における発光体の係止手段の一例を説明するための側面模式図（Ｂ）である。
【００４８】
ここで示すイルミネーション装置１Ｂは、前記図１で詳述したように、電源が供給可能とされた導電部材２と、この導電部材２に分岐状に接続された複数本の接続導電部材３と、接続導電部材３に接続された発光体４とから構成されている。
【００４９】
また、導電部材２は、一定長さの電力供給用の電線（図示せず。）が塩化ビニール製の絶縁体で被覆され、その両側端に接続用コネクター５が取り付けられた構成とされている。
このような構成とすることで各々の導電部材２の接続用コネクター５を連結することにより、例えば街路樹の大きさに応じて任意の長さとすることが可能となる。
【００５０】
ここで、発光体４の基板６の裏側面の略中央に、クリップ部１３が設けられている（図６（Ａ）参照）。
【００５１】
このクリップ部１３は、第１の部材１１及び第２の部材１２の略中央に突設配置された連結部１４、１４が連結枢支されている。更に、第１の部材１１及び第２の部材１２間に取付けられたバネ等の弾性体１５の付勢力で第１の部材１１と第２の部材１２の先端の内側面が互いに圧接される構成とされている（図６（Ｂ）参照）。
【００５２】
このような構成とすることで、第２の部材１２の基端側を弾性体１５の付勢力に抗しながら押し下げることで第１の部材１１と第２の部材１２の先端が開いた状態となり、枝等を挟んで発光体４を固定することが可能となる。
【００５３】
＜第２の実施の形態の変形例＞
図７は本発明を適用したイルミネーション装置における発光体の係止手段の変形例を説明するための平面模式図（Ａ）及び、本発明を適用したイルミネーション装置における発光体の係止手段の変形例を説明するための断面模式図（Ｂ）である。
【００５４】
ここで、発光体４の基板６の裏側面の略中央に、第１の部材１１Ａ及び第２の部材１２Ａの一部が重なり合った状態のクリップ部１３Ａが設けられている（図７（Ａ）参照）。
【００５５】
このクリップ部１３Ａは、バネ等の弾性体（図示せず。）の付勢力で第１の部材１１Ａ及び第２の部材１２Ａの一部が重なり合った状態で半円筒形を保持することで基板６面との間に空間部１６が形成された構成とされている（図７（Ｂ）参照）。
【００５６】
このような構成とされることで、第１の部材１１Ａと第２の部材１２Ａを弾性体（図示せず。）の付勢力に抗しながら図中Ａ矢印方向へ開き、枝等を空間部１６内に嵌め入れた状態で第１の部材１１Ａと第２の部材１２Ａを閉じることで発光体４を固定することが可能となる。
【００５７】
以上の構成よりなる本発明のイルミネーション装置１Ｂでは、図８に示すように、例えば、樹木の幹枝Ａに沿って導電部材２を結束バンドＢで巻着する。
【００５８】
更に、導電部材２から分岐された接続導電部材３の先端の発光体４が、小枝Ｃを前記図６、あるいは前記図７で詳述したクリップ部１３、またはクリップ部１３Ａで挟むようにして固定される。
【００５９】
このようにして発光体４が小枝Ｃの先端に固定されることで、発光体４と幹枝Ａ及び小枝Ｃが相互に受ける風力結果として枝の弾力を利用した不規則、かつ自然な光の揺れを表現することが可能となる。
【００６０】
更に、発光体４の有機ＥＬ、あるいは無機ＥＬ（図示せず。）素子に通電することで、発光体４の１面が発光しながら揺れることで光の動的演出を行うことが可能となる。
【００６１】
なお、＜第２の実施の形態＞におけるクリップ部は、発光体に固定した構成を詳述するものであるが、必ずしも発光体に固定する必要性はなく、着脱自在な構成であっても構わない。
【００６２】
例えば、クリップ部を着脱自在な構成とした場合には、発光体が枝の先端部に固定できない状況では、クリップ部を取外して接続導電部材で発光体を枝や幹からぶら下げて風鈴やモビールのように少ない風力でも光を揺らすような構成とする。
【００６３】
＜第２の実施の他の形態＞
図９は本発明を適用したイルミネーション装置における発光体の係止手段の他の例を説明するための裏面模式図（Ａ）、本発明を適用したイルミネーション装置における発光体の係止手段の他の例を説明するための断面模式図（Ｂ）、本発明を適用したイルミネーション装置における発光体の係止手段の例を説明するための作用状態を説明するための断面説明図（Ｃ）である。
【００６４】
ここで示すイルミネーション装置１Ｃは、前記図１で詳述するように、電源が供給可能とされた導電部材２と、この導電部材２に分岐状に接続された複数本の接続導電部材３と、接続導電部材３に接続された発光体４とから構成されている。
【００６５】
また、導電部材２は、一定長さの電力供給用の電線（図示せず。）が塩化ビニール製の絶縁体で被覆され、その両側端に接続用コネクター５が取付けられた構成とされている。
このような構成とすることで各々の導電部材２の接続用コネクター５を連結することにより、例えば街路樹の大きさに応じて任意の長さとすることが可能となる。
【００６６】
ここで、発光体４は、発光モジュール１０と、この発光モジュール１０の背面側に配置された基板６の一部が粘着部材（図示せず。）を介することで開閉可能な構成とされている（図９（Ｂ）参照）。
【００６７】
更に、発光モジュール１０の背面の領域に第１の溝部１７が形成され、この第１の溝部１７に対応する基板６の領域に第２の溝部１８が形成されると共に、第１の溝部１７及び第２の溝部１８の一方より他方に向けて、その内径が順次狭窄状とされている（図９（Ａ）参照）。
【００６８】
このような構成とすることで、発光モジュール１０と基板６の一部を開き、発光モジュール１０の第１の溝部１７と基板６の第２の溝部１８内に枝等の先端側を嵌め入れることで発光体４が溝部内から抜ける落ちることなく固定することが可能となる（図９（Ｃ）参照）。
【００６９】
なお、＜第２の実施の他の形態＞では、第１の溝部及び第２の溝部は、第１の溝部及び第２の溝部の一方より他方に向けて、その内径が順次狭窄状とするものであるが、必ずしも順次狭窄状とする必要性はない。
【００７０】
しかし、枝等から発光体が抜けることを防止するという点において、第１の溝部及び第２の溝部の内径が順次狭窄状とすることが望ましい。
【００７１】
また、＜第２の実施の他の形態＞では、発光モジュールの背面の領域に第１の溝部と、この第１の溝部に対応する基板の領域に第２の溝部を形成する構成とするものであるが、必ずしも第１の溝部及び第２の溝部を設ける必要性はない。
【００７２】
例えば、発光モジュールの背面の領域と、基板の領域のいずれか一方の領域に溝部が形成されたものであっても構わない。
【００７３】
＜第２の実施の他の形態の変形例＞
図１０は本発明を適用したイルミネーション装置における発光体の係止手段の他の例の変形例を説明するための模式図（Ａ）、本発明を適用したイルミネーション装置における発光体の係止手段の他の例の変形例を説明するための断面模式図（Ｂ）である。
【００７４】
ここで、発光体４は、発光モジュール１０と、この発光モジュール１０の背面側に配置された基板６が粘着部材（図示せず。）を介することで開閉可能な構成とされている（図１０（Ａ）参照）。
【００７５】
更に、発光モジュール１０と基板６の上端には、枝等が挿通可能とされる円筒部２０を有すＴ字形状の柄部２１が設けられている。
この柄部２１は、発光モジュール１０と基板６を開くことで円筒部２０の下部長手方向に沿って分割状とされ、円筒部２０内に枝等を貫通した状態で嵌め入れられるような構成とされている（図１０（Ｂ）参照）。
【００７６】
以上の構成よりなる本発明のイルミネーション装置１Ｃでは、前記図８で詳述したように、例えば、樹木の幹枝Ａに沿って導電部材２が結束バンドＢで巻着される。
【００７７】
更に、導電部材２から分岐された接続導電部材３は小枝Ｃに沿って配線されて小枝Ｃの先端に発光体４が固定される。
【００７８】
ここで、発光体４は、前記図９（Ｃ）で詳述したように、発光モジュール１０と基板６の一部を開き、発光モジュール１０の第１の溝部１７と基板６の第２の溝部１８間に小枝Ｃの先端を挟んだ状態で固定される。
【００７９】
このようにして、前記図９（Ａ）で示すように、小枝Ｃは発光体４の上部を斜めに貫通することで、発光モジュール１０面が垂直を保ちやすくなるために、見た目が美しく視認性を向上させることになる。
【００８０】
また、前記図１０で詳述したように、発光体４は、発光モジュール１０と基板６を開き、円筒部２０内に枝等を貫通した状態で嵌め入れることで小枝Ｃの先端が円筒部２０を貫通した状態で固定される。
【００８１】
このようにして発光体４が小枝Ｃに固定されることで、発光体４と小枝Ｃが相互に受ける風力抵抗の結果として枝の弾力を利用した不規則、かつ自然な光の揺れを表現することが可能となる。
【００８２】
なお、＜第１の実施の形態＞、＜第２の実施の形態＞及び＜変形例＞における発光体は葉形状とし、＜第２の実施の他の形態＞における発光体は、雪の結晶形状とするものであるが、必ずしもこのような形状とする必要性はない。
【００８３】
例えば、花、星、月、太陽、雨、生物など平面形状であればあらゆる形状であっても構わない。
【００８４】
また、本実施例では、発光モジュールを有機エレクトロルミネッセンス、あるいは無機エレクトロルミネッセンスとするものであるが、必ずしもこのような発光モジュールとする必要性はない。
【００８５】
例えば、通電することで面発光する機構であればいかなる発光モジュールであっても構わないが、低消費電力で均一な面発光が可能とされる有機エレクトロルミネッセンス、あるいは無機エレクトロルミネッセンスを用いることが望ましい。
【００８６】
また、本実施例では、平面形状である発光体の１面に発光モジュールが形成されたものについて詳述するものであるが、必ずしも発光モジュールを１面とする必要性はなく、発光体の両側面に発光モジュールを形成したものであっても構わない。
【００８７】
また、本実施例では、導電部材に対して複数の接続導電部材を接続するものであるが、必ずしも複数接続する必要性はない。
【００８８】
例えば、導電部材に一体とされた接続導電部材に発光体を配置したものであっても構わない。
【符号の説明】
【００８９】
１、１Ａ、１Ｂ、１Ｃ  イルミネーション装置
２              導電部材
３              接続導電部材
４              発光体
５              接続用コネクター
６              基板
８              第１のストッパー部
９              第２のストッパー部
１０            発光モジュール
１１、１１Ａ    第１の部材
１２、１２Ａ    第２の部材
１３、１３Ａ    クリップ部
１４            連結部
１５            弾性体
１６            空間部
１７            第１の溝部
１８            第２の溝部
２０            円筒部
２１            柄部
【図１】
2015141783.tif 000003
【図２】
2015141783.tif 000004
【図３】
2015141783.tif 000005
【図４】
2015141783.tif 000006
【図５】
2015141783.tif 000007
【図６】
2015141783.tif 000008
【図７】
2015141783.tif 000009
【図８】
2015141783.tif 000010
【図９】
2015141783.tif 000011
【図１０】
2015141783.tif 000012
【図１１】
2015141783.tif 000013